(57)【特許請求の範囲】
【請求項１】
集合住宅の防音構造であって；
それぞれコンクリート躯体である、第１の床と、第１の壁と、第１の天井と、から構成される第１の構造と；
前記第１の構造内に構築される第２の構造であって、前記第１の床上に構築される防振構造の第２の床と、前記第１の壁内に構築される防振構造の第２の壁と、前記第１の天井下に構築される防振構造の第２の天井と、から構成される第２の構造と；
前記第２の構造内に構築される第３の構造であって、前記第２の床上に構築される防振構造の第３の床と、前記第２の壁内に前記第２の壁から完全に切り離して構築される第３の壁と、前記第２の天井下に前記第２の天井から完全に切り離して構築される第３の天井と、から構成される第３の構造と；を備え、
前記第２の床は、前記第１の床上に吸音部材を介して打設される浮床コンクリートであり、前記第３の床は、前記第２の床上に吸音部材を介して打設される浮床コンクリートであり、
前記第２の天井は前記第１の天井から防振吊具を介して吊られ、
前記第３の構造は、前記第２の床上に吸音部材を介して打設される浮床コンクリートである第３の床と、前記浮床コンクリート上に設置されるフレーム構造体に取り付けられる第３の壁及び第３の天井と、から構成されることを特徴とする、集合住宅の防音構造。
【請求項２】
前記第１の構造に設置される二重構造の窓と、前記第３の構造に設置される気密構造の窓と、前記二重構造の窓と前記気密構造の窓の間に構築される中空層と、から構成される三重窓構造をさらに備える、請求項１に記載された、集合住宅の防音構造。
【請求項３】
すべての住戸が、請求項１又は請求項２に記載された集合住宅の防音構造を備える、集合住宅。
【発明の詳細な説明】
【技術分野】
【０００１】
本発明は、ドラムや金管楽器などの大音量や振動を伴う楽器の演奏を可能とする集合住宅の防音構造に関するものである。
【背景技術】
【０００２】
従来から、集合住宅において楽器演奏を可能とした二重構造の防音マンションが存在している。二重構造の防音マンションの防音性能は遮音等級Ｄｒ−６０〜Ｄｒ−７０程度であり、ピアノやギター、木管楽器の演奏（１００ｄＢ以下の演奏音）は可能であった。
【０００３】
例えば、特許文献１に記載された防音室構造は、床スラブの上面に防音機能を有する筒状の外側壁を構築し、外側壁の内側に位置するように、床スラブの上面にクッション材を介して遮音ボックスを構築し、外側壁と遮音ボックスとの間に吸振手段を介在させている。この構成によって、遮音ボックスのレイアウトの自由度が向上するようになる。
【先行技術文献】
【特許文献】
【０００４】
【特許文献１】特開２０１２−１９３１号公報
【発明の概要】
【発明が解決しようとする課題】
【０００５】
しかしながら、集合住宅においてドラムや金管楽器（トランペットなど）、バンド演奏などの大音量（１００〜１３０ｄＢ程度）や振動を伴う楽器の演奏を行うことはできなかった。仮にドラムなどの演奏を許可すると、階を飛び越えて騒音や振動が他の部屋まで伝わり、他の入居者に騒音をまき散らす結果となるため、演奏者に退去や楽器の演奏の禁止を求める措置がとられることもあった。
【０００６】
そこで、本発明は、ドラムや金管楽器などの大音量や振動を伴う楽器の演奏やバンドなどの複数楽器の同時演奏を可能とする集合住宅の防音構造を提供することを目的としている。
【課題を解決するための手段】
【０００７】
前記目的を達成するために、本発明の集合住宅の防音構造は、集合住宅の防音構造であって；それぞれコンクリート躯体である、第１の床と、第１の壁と、第１の天井と、から構成される第１の構造と；前記第１の構造内に構築される第２の構造であって、前記第１の床上に構築される防振構造の第２の床と、前記第１の壁内に構築される防振構造の第２の壁と、前記第１の天井下に構築される防振構造の第２の天井と、から構成される第２の構造と；前記第２の構造内に構築される第３の構造であって、前記第２の床上に構築される防振構造の第３の床と、前記第２の壁内に前記第２の壁から完全に切り離して構築される第３の壁と、前記第２の天井下に前記第２の天井から完全に切り離して構築される第３の天井と、から構成される第３の構造と；を備える。
【発明の効果】
【０００８】
このように、本発明の集合住宅の防音構造は、第１の構造と；第２の構造と；第３の構造と；を備える。第３の構造は、第２の床上に構築される防振構造の第３の床と、第２の壁内に第２の壁から完全に切り離して構築される第３の壁と、第２の天井下に第２の天井から完全に切り離して構築される第３の天井と、から構成される。このような構成によれば、ドラムや金管楽器などの大音量や振動を伴う楽器の演奏を可能とする集合住宅の防音構造となる。
【図面の簡単な説明】
【０００９】
【図１】集合住宅の防音構造の断面図である。
【図２】フレーム構造体の斜視図である。
【図３】三重窓構造の断面図である。
【発明を実施するための形態】
【００１０】
以下、本発明の実施例について図面を参照して説明する。なお、以下の実施例においては、集合住宅としていわゆるマンションに本発明を適用した場合について説明するが、これらは例示であって、以下の内容に限定して適用することを意図するものではない。
【実施例】
【００１１】
（全体構成）
はじめに、本実施例の集合住宅の防音構造Ｓの全体構成について説明する。集合住宅の防音構造Ｓは、図１に示すように、第１の構造１０と、第１の構造１０内に構築される第２の構造２０と、第２の構造２０内に構築される第３の構造３０と、によって三重構造とされている。
【００１２】
第１の構造１０は、それぞれコンクリート躯体である、第１の床１１と、第１の壁１２と、第１の天井１３と、から構成される。第１の床１１、第１の壁１２、第１の天井１３の厚みは１８０ｍｍ程度とされることが好ましい。この他、第１の構造１０は、通常のコンクリート躯体構造であるから説明は省略する。なお、例えば、３階の住戸の第１の床１１は、２階の住戸の第１の天井１３に相当する。
【００１３】
第２の構造２０は、第１の床１１上に構築される防振構造の第２の床２１と、第１の壁１２内に構築される防振構造の第２の壁２２と、第１の天井１３下に構築される防振構造の第２の天井２３と、から構成される。
【００１４】
すなわち、第２の床２１は、第１の床１１上に吸音部材２１ａを敷設したうえで、吸音部材２１ａ上に防水シート２１ｂを介して打設される浮床コンクリートとなっている。吸音部材２１ａとしては、グラスウールをボード状に加工したグラスウールボードを使用することができる。グラスウールボードは複数枚敷設することもできる。第２の床２１の厚みは１００ｍｍ程度とされることが好ましい。
【００１５】
また、第２の壁２２は、背面にグラスウールなどの吸音部材２２ｂを貼設された石膏ボード２２ａから構成され、第２の床２１上に立設される。そして、第２の天井２３は、背面にグラスウールなどの吸音部材２３ｂを貼設された石膏ボード２３ａから構成され、第１の天井１３から防振吊具（不図示）を介して吊られる。石膏ボード２２ａ、２３ａは、それぞれ１枚でのコインシデンス効果の影響を低減させるため、厚みの異なる複数枚を貼り合わせて構成することが好ましい。なお、石膏ボード２２ａ、２３ａは、それぞれ建築用鋼製下地材（軽量鉄骨壁下地、軽量鉄骨天井下地）を介して立設され・吊られる。
【００１６】
第３の構造３０は、第２の床２１上に構築される防振構造の第３の床３１と、第２の壁２２内に第２の壁２２から完全に切り離して構築される第３の壁３２と、第２の天井２３下に第２の天井２３から完全に切り離して構築される第３の天井３３と、から構成される。
【００１７】
すなわち、第３の床３１は、第２の床２１上に吸音部材３１ａを敷設したうえで、吸音部材３１ａ上に防水シート３１ｂを介して打設される浮床コンクリートとなっている。吸音部材３１ａとしては、グラスウールをボード状に加工したグラスウールボードを使用することができる。グラスウールボードは複数枚敷設することもできる。第３の床３１の厚みは１００ｍｍ程度とされることが好ましい。
【００１８】
そして、本実施例の第３の壁３２及び第３の天井３３は、背面にグラスウールなどの吸音部材３２ｂ、３３ｂを貼設された石膏ボード３２ａ、３３ａから構成され、浮床コンクリートである第３の床３１上に設置されるフレーム構造体４０に取り付けられている。すなわち、本実施例の第３の構造３０の第３の壁３２及び第３の天井３３は、第２の構造２０と接触することなく完全に切り離されている。石膏ボード３２ａ、３３ａは、それぞれ１枚でのコインシデンス効果の影響を低減させるため、厚みの異なる複数枚を貼り合わせて構成することが好ましい。なお、石膏ボード３２ａ、３３ａは、それぞれ建築用鋼製下地材（軽量鉄骨壁下地、軽量鉄骨天井下地）を介してフレーム構造体４０に取り付けられる。
【００１９】
（フレームの構成）
次に、フレーム構造体４０の構成について説明する。フレーム構造体４０は、図２に示すように、主に、角型断面の軽量鉄骨によって形成されて床を構成する床部材４１、・・・と、床部材４１に立設される柱部材４２、・・・と、柱部材４２、・・・の上端を結ぶ天井部材４３、・・・と、によって構成されている。ドア及びサッシが配置される開口部の箇所には、開口部を囲むように床部材４１及び柱部材４２が配置されている。さらに、コーナー部分の各部材の接合部には、補強プレート４４、・・・が取り付けられており、フレーム構造体４０全体の剛性が高められている。各部材４１、４２、４３の断面寸法は、例えば、鋼製の角パイプ５０×５０×３．２を用いることができるが、スパンが長い場合には、７５×７５×３．２を用いることが好ましい。補強プレート４４は、３．２ｍｍの鋼板を用いることができる。フレーム構造体４０は、各部材を所用の寸法に切断した状態で現場に運搬し、現場において溶接又はボルト等によって組立（構築）される。
【００２０】
（窓の構成）
次に、三重窓構造５０の構成について説明する。本実施例の三重窓構造５０は、図３に示すように、二重構造の窓５１と、気密構造の窓５３と、二重構造の窓５１と気密構造の窓５３の間に構築される中空層５２と、を備えている。二重構造の窓５１は、剛性の大きいコンクリート躯体からなる第１の構造１０の第１の壁１２に設けた開口部に配置される二重構造の窓であり、外窓５１ａと内窓５１ｂとを有している。気密構造の窓５３は、剛性の大きいフレーム構造体４０からなる第３の構造３０の第３の壁３２に設けた開口部に配置される気密構造の防音窓であり、二重構造の窓５１とは完全に切り離して構築される。そして、中空層５２は、二重構造の窓５１の内窓５１ｂの内面と気密構造の窓５３の外面との間に形成される。換言すると、中空層５２は、第２の構造２０に対応した厚み部分に配置される。
【００２１】
（効果）
次に、本実施例の集合住宅の防音構造１の奏する効果を列挙して説明する。
【００２２】
（１）上述してきたように、本実施例の集合住宅の防音構造１は、集合住宅の防音構造Ｓであって；それぞれコンクリート躯体である、第１の床１１と、第１の壁１２と、第１の天井１３と、から構成される第１の構造１０と；第１の構造１０内に構築される第２の構造２０であって、第１の床１１上に構築される防振構造の第２の床２１と、第１の壁１２内に構築される防振構造の第２の壁２２と、第１の天井１３下に構築される防振構造の第２の天井２３と、から構成される第２の構造２０と；第２の構造２０内に構築される第３の構造３０であって、第２の床２１上に構築される防振構造の第３の床３１と、第２の壁２２内に第２の壁２２から完全に切り離して構築される第３の壁３２と、第２の天井２３下に第２の天井２３から完全に切り離して構築される第３の天井３３と、から構成される第３の構造３０と；を備える。このような構成によれば、ドラムや金管楽器などの大音量や振動を伴う楽器の演奏を可能とする集合住宅の防音構造Ｓとなる。
【００２３】
具体的にいうと、従来の構造では遮音等級Ｄｒ−７０を越える遮音性能の確保が困難であり、隣室のドラムや金管楽器の演奏音をほとんど聞こえないレベルまで減衰することはできなかった。コンクリート躯体を厚くすれば、理論上は遮音性能を確保することはできるものの、その場合には壁厚が１８００ｍｍ必要となり、現実的ではなかった。これに対して、本実施例の集合住宅の防音構造１によれば、集合住宅の隣戸間界壁・隣戸間界床における空間音圧レベル差で遮音等級Ｄｒ−９０程度の設計性能を得ることができる。
【００２４】
さらにいうと、第３の構造を従来型の吊天井方式で実施しようとしても、第２の構造自体が防振吊具を介して躯体コンクリート天井から吊っている。そのため、第３の構造を第２の構造に吊ることとなり、構築精度が低くなるため、結果として気密性が確保できずに高い遮音性が確保できなくなっていたのである。
【００２５】
（２）第２の床２１は第１の床１１上に吸音部材２１ａを介して打設される浮床コンクリートであり、第３の床３１は第２の床２１上に吸音部材３１ａを介して打設される浮床コンクリートであることが好ましい。このような構成によれば、簡易な構成によって第２の床２１及び第３の床３１を防振構造とすることができる。さらに、第３の床３１には、フレーム構造体４０が載置されるところ、第３の床３１がスラブとして形成されていることで、フレーム構造体４０を安定して支持できるうえ、全体の剛性を大きくすることができる。
【００２６】
（３）第３の構造３０は、第２の床２１上に吸音部材３１ａを介して打設される浮床コンクリートである第３の床３１と、浮床コンクリート上に設置されるフレーム構造体４０に取り付けられる第３の壁３２及び第３の天井３３と、から構成されることが好ましい。このような構成によれば、第３の構造３０の第３の壁３２及び第３の天井３３を、簡単な構成によって第２の構造２０から切り離すことができる。そして、従来のように、コンクリート躯体だけで遮音性能を達成するためには１８００ｍｍ必要であった壁厚を、隣戸間界壁を６６０ｍｍまで薄くでき、隣戸間界床を７６０ｍｍまで薄くできる。
【００２７】
さらに、第３の構造３０は、第２の構造２０（及び第１の構造１０）の内側に配置されるため、フレーム構造体４０の各部材４１、４２、４３の長さを短くすることができる。これによって部材断面を小さくすることができる。したがって、室内空間を広くとることができる。すなわち、第２の構造２０は従来型の吊天井などを用いるとともに、第３の構造３０にはフレーム構造体４０を用いることで合理的な空間設計が可能となる。逆に言うと、第２の構造２０までもフレーム構造体を用いようとすると、部材断面が大きくなってしまうため、合理的とはいえないのである。
【００２８】
（４）また、集合住宅の防音構造Ｓは、第１の構造１０に設置される二重構造５１の窓と、第３の構造３０に設置される気密構造の窓５３と、二重構造の窓５１と気密構造の窓５３の間に構築される中空層５２と、から構成される三重窓構造５０をさらに備えることが好ましい。このような構成によれば、窓を通じて隣室へ音が漏れることを防止できる。具体的には、二重構造の窓５１（Ｔ−４）と気密構造の窓５３（Ｔ−３）で７５ｄＢ以上の設計性能が得られるため、隣室に回り込む空間音圧レベル差は７５＋７５＝１５０ｄＢ以上となる。
【００２９】
（５）そして、本実施例の集合住宅は、すべての住戸が、上述したいずれかの集合住宅の防音構造Ｓを備える。このような構成によれば、各住戸での防音性能が隣室の防音性能との相乗効果によって倍増される。
【００３０】
以上、図面を参照して、本発明の実施例を詳述してきたが、具体的な構成は、この実施例に限らず、本発明の要旨を逸脱しない程度の設計的変更は、本発明に含まれる。
【００３１】
例えば、実施例では、フレーム構造体４０を構成する各部材に角パイプを用いる場合について説明したが、これに限定されるものではない。各部材には、例えばＣ形鋼などの他の形鋼を用いることもできる。
【符号の説明】
【００３２】
Ｓ          集合住宅の防音構造
１０        第１の構造
１１        第１の床
１２        第１の壁
１３        第１の天井
２０        第２の構造
２１        第２の床
２２        第２の壁
２３        第２の天井
３０        第３の構造
３１        第３の床
３２        第３の壁
３３        第３の天井
４０        フレーム構造体
４１        床部材
４２        柱部材
４３        天井部材
５０        三重窓構造
５１        二重構造の窓
５２        中空層
５３        気密構造の窓
【要約】
【課題】ドラムや金管楽器などの大音量や振動を伴う楽器の演奏を可能とする集合住宅の防音構造を提供する。
【解決手段】集合住宅の防音構造Ｓは、それぞれコンクリート躯体である、第１の床１１と、第１の壁１２と、第１の天井１３と、から構成される第１の構造１０と；第１の構造１０内に構築される第２の構造２０であって、第１の床１１上に構築される防振構造の第２の床２１と、第１の壁１２内に構築される防振構造の第２の壁２２と、第１の天井１３下に構築される防振構造の第２の天井２３と、から構成される第２の構造２０と；第２の構造２０内に構築される第３の構造３０であって、第２の床２１上に構築される防振構造の第３の床３１と、第２の壁２２内に第２の壁２２から完全に切り離して構築される第３の壁３２と、第２の天井２３下に第２の天井２３から完全に切り離して構築される第３の天井３３と、から構成される第３の構造３０と；を備えている。
【選択図】図１【図１】
0005791138.tif 000002
【図２】
0005791138.tif 000003
【図３】
0005791138.tif 000004